(57)【要約】【課題】高圧空気発生部と連結ダクトとの間の気密性を保つことができ、梱包性を向上した天井扇を提供する。【解決手段】高圧空気発生部８と連結ダクト１１との気密性を保つためのシール手段１４を有し、シール手段１４は、高圧空気発生部８の開口部１６から開口に対して周囲方向に突出したリブ形状のフランジ部１７と、連結ダクト１１の開口部１８の内面に形成された溝部１９とによって構成され、フランジ部１７は、高圧空気発生部８に対面する側の面がテーパ形状に形成され、溝部１９は、連結ダクト１１の先端側の面がテーパ形状に形成され、連結ダクト１１と気流吹出し部１０の自重によってシール手段１４にかかる荷重によりフランジ部１７と溝部１９が互いに押し付けあう構成とする。【選択図】図３
2012107596.tif 000002
【特許請求の範囲】
【請求項１】
箱体に空気を取り入れる吸込み口と、
高圧空気を発生するための羽根車と羽根車を駆動するためのモータで構成された高圧空気発生手段とが設けられた高圧空気発生部と、
高圧空気を気流として吹出す吹出し口を有する気流吹出し部と、
前記高圧空気発生部と前記気流吹出し部を連通する連結ダクトとを備え、
前記気流吹出し部が環形状であり、
前記高圧空気発生部を天井に取り付けられる天井扇であって、
前記高圧空気発生部に前記連結ダクトを取付ける取付部を有し、
前記取付部は、
前記連結ダクトを保持するための保持部と、
前記高圧空気発生部と前記連結ダクトとの気密性を保つためのシール手段を備え、
前記シール手段は、
前記高圧空気発生部の開口から周囲方向に突出したリブ形状のフランジ部と、
前記連結ダクトの開口の内面に形成された溝部とによって構成され、
前記連結ダクトと前記気流吹出し部の自重によって前記シール手段にかかる荷重により前記フランジ部と前記溝部が互いに押し付けあう構成としたものであることを特徴とする天井扇。
【請求項２】
フランジ部は、高圧空気発生部に対面する側の面がテーパ形状に形成され、
溝部は、連結ダクトの先端側の面がテーパ形状に形成されていることを特徴とする請求項１記載の天井扇。
【請求項３】
保持部は、フランジ部よりも気流吹出し部側に略鉛直上方に突出した二つの側壁を備え、
前記側壁同士の距離は、
前記高圧空気発生部から前記気流吹出し部に向かって狭まっていることを特徴とする請求項１または２に記載の天井扇。
【発明の詳細な説明】
【技術分野】
【０００１】
本発明は、天井に設置され、直接風による体感温度の減少や室内の空気の循環に使用される天井扇に関するものである。
【背景技術】
【０００２】
一般に、運送や保管の際に限られた空間を有効活用するため、商品が梱包される箱の寸法を出来る限り小さくして梱包性を向上させる必要がある。箱寸法を小さくするためには、部品を分割し客先組立可能にすることが有効である。
【０００３】
本発明における天井扇は、高圧空気を発生するための羽根車と羽根車を駆動するためのモータで構成された高圧空気発生手段とが設けられた高圧空気発生部と、高圧空気を気流として吹出す吹出し口を有する気流吹出し部と、高圧空気発生部と気流吹出し部を連通する連結ダクトとを備えたものであるので、梱包性を向上させるためには、高圧空気発生部と連結ダクトを分割し客先組立可能にするための取付機構が求められる。この取付機構には高圧空気発生部と連結ダクトとの気密性を保つシール手段を有することが求められる。
【０００４】
この種のシール手段としては、ダクトを連結させるためのアダプタを換気扇本体と取付けるためのものがある（例えば、特許文献１参照）。
【０００５】
その構成および作用について図１０を参照しながら説明する。図１０（ａ）は従来の構成のシール手段の概略断面図であり、図１０（ｂ）は従来の構成の取付部の概略断面図である。図１０より、ケーシング１０１に設けられたガイド板１０２に、アダプタ部１０３に設けられたガイド１０４を引掛けるようにして取付け、そして、アダプタ部１０３の爪部１０５をケーシング１０１の取付穴１０６に挿入することにより、アダプタ部１０３とケーシング１０１を密着させて気密性を保つものである。
【先行技術文献】
【特許文献】
【０００６】
【特許文献１】特開２００５−１４７４１５号公報
【発明の概要】
【発明が解決しようとする課題】
【０００７】
しかし、従来のシール手段を本発明における天井扇に展開すると、高圧空気発生部と連結ダクトとを、連結ダクトと気流吹出し部の自重によりシール手段に加わる荷重の方向とは逆方向に両者を押し当てることにより両者の気密性を保つものであったので、上記の荷重が加わると密着性が小さくなって高圧空気発生部と連結ダクトとの間に隙間が生じ、この隙間から空気が漏れてしまい、天井扇の送風量の減少やこの空気漏れに伴う噴流音が生じてしまうものであった。
【０００８】
そこで、本発明は、荷重がかかっても気密性を保つことができるシール手段を備えることにより、送風量の減少や噴流音の発生を抑制することができるとともに、高圧空気発生部と連結ダクトを別部品とすることで梱包性を向上させることができる天井扇を提供することを目的とするものである。
【課題を解決するための手段】
【０００９】
上記目的を達成するため、本発明の天井扇は、高圧空気発生部と連結ダクトとの気密性を保つためのシール手段を有し、シール手段は、高圧空気発生部の開口から開口に対して周囲方向に突出したリブ形状のフランジ部と、連結ダクトの開口内面に形成された溝部と、によって構成され、フランジ部は、高圧空気発生部に対面する側の面がテーパ形状に形成され、溝部は、連結ダクトの先端側の面がテーパ形状に形成され、連結ダクトと前記気流吹出し部の自重によってシール部にかかる荷重によりフランジ部と溝部が互いに押し付けあう構成としたものである。
【発明の効果】
【００１０】
本発明により、気流吹出し部と連結ダクトの荷重がシール手段にかかっても高圧空気発生部と連結ダクトとの間の気密性を保つことができ、梱包性を向上した天井扇を提供することができる。
【図面の簡単な説明】
【００１１】
【図１】本発明における天井扇本体を天井に取付けた状態を表す概略斜視図
【図２】同天井扇の内部構成を表す概略断面図
【図３】同取付部の構成を表す概略斜視図
【図４】（ａ）同高圧空気発生部のフランジ部を表す概略斜視図、（ｂ）同連結ダクトの溝部を表す概略斜視図、（ｃ）同フランジ部と溝部のテーパ形状部を拡大した概略断面図
【図５】同保持部の側壁間距離の関係を表す概略上方図
【図６】同保持部による力の分散を表す概略斜視図
【図７】同気流吹出し部および連結ダクトにかかる重力を示す概略断面図
【図８】（ａ）従来の構成を天井扇に展開した場合におけるシール手段の形状を表す概略断面図、（ｂ）同荷重がかかったときのシール手段の状態を表す概略断面図、（ｃ）同シール手段の上方部分を拡大した概略断面図
【図９】（ａ）本発明におけるシール手段の形状を表す概略断面図、（ｂ）同荷重がかかったときのシール手段の状態を表す概略断面図、（ｃ）同シール手段の上方部分を拡大した概略断面図
【図１０】（ａ）従来の構成のシール手段を表す概略断面図、（ｂ）従来の構成の取付部を表す概略断面図
【発明を実施するための形態】
【００１２】
本発明における天井扇は、箱体に空気を取り入れる吸込み口と、高圧空気を発生するための羽根車と羽根車を駆動するためのモータで構成された高圧空気発生手段とが設けられた高圧空気発生部と、高圧空気を気流として吹出す吹出し口を有する気流吹出し部と、高圧空気発生部と気流吹出し部を連通する連結ダクトとを備え、気流吹出し部が環形状であり、高圧空気発生部を天井に取り付けられる天井扇であって、高圧空気発生部と連結ダクトとの気密性を保つためのシール手段を有し、シール手段は、高圧空気発生部の開口から開口に対して周囲方向に突出したリブ形状のフランジ部と、連結ダクトの開口内面に形成された溝部と、によって構成され、前記連結ダクトと前記気流吹出し部の自重によって前記シール部にかかる荷重により前記フランジ部と前記溝部が互いに押し付けあう構成としたものである。
【００１３】
従来のシール手段では、連結ダクトと気流吹出し部にかかる自重によってシール手段にかかる荷重により高圧空気発生部と連結ダクトの間に隙間ができるため、高圧空気発生部で発生する高圧空気はこの隙間から本体外部へと漏れてしまうが、本発明の天井扇は上記構成としたシール手段を備えることにより、荷重がかかるとフランジ部と溝部が接触し押し付け合って密着するので、気密性を保つことができるものである。
【００１４】
したがって、送風量の減少や噴流音の発生を抑制ことができるとともに、高圧空気発生部と連結ダクトを別部品とすることで梱包性を向上させることができる天井扇を提供することができる。
【００１５】
また、フランジ部は、高圧空気発生部に対面する側の面がテーパ形状に形成され、溝部は、連結ダクトの先端側の面がテーパ形状に形成されたものである。
【００１６】
これにより、フランジ部のテーパ形状部分と溝部のテーパ形状部分とが互いに押し付け合うので、フランジ部と溝部との密着性が増し空気が漏れにくくなる。
【００１７】
また、高圧空気発生部は、フランジ部よりも気流吹出し部側に略鉛直上方に突出した２つの側壁を備え、側壁同士の距離は、高圧空気発生部から気流吹出し部に向かって狭まっているものである。
【００１８】
これにより、天井扇の天井への据付時等に異常な荷重が気流吹出し部や連結ダクトにかかったとしても、連結ダクトと側壁の狭まった部分とが接触し荷重が側壁にもかかるようになるので、荷重をシール部と側壁とに分散することができ、シール手段の破損を抑制することができる。
【００１９】
以下、本発明の実施の形態について図面を参照しながら説明する。なお、以下に示すものは本発明における実施の形態の一例にすぎず、同等の作用効果をなすものであればこれに限られたものではない。
【００２０】
（実施の形態１）
実施の形態１について図１〜９を参照しながら説明する。
【００２１】
図１に本発明における天井扇本体を天井に取付けた状態を表す概略斜視図、図２に本発明の実施の形態１における天井扇の内部構成を表す概略断面図、図３は取付部の構成を表す概略斜視図、図４（ａ）は高圧空気発生部のフランジ部を表す概略斜視図、図４（ｂ）は連結ダクトの溝部を表す概略斜視図、図４（ｃ）は同フランジ部と溝部のテーパ形状部を拡大した概略断面図、図５は保持部の形状を表す概略斜視図、図６は同保持部による力の分散を表す概略斜視図、図７は気流吹出し部および連結ダクトにかかる重力を示す概略断面図、図８は従来の構成を天井扇に展開した場合におけるシール手段付近を表す概略断面図であり、図８（ａ）はシール手段の形状を表す概略断面図、図８（ｂ）は荷重がかかったときのシール手段の状態を表す概略断面図、図８（ｃ）はシール手段の上方部分を拡大した概略断面図、図９は本発明におけるシール手段付近を表す概略断面図であり、図９（ａ）はシール手段の形状を表す概略断面図、図９（ｂ）は荷重がかかったときのシール手段の状態を表す概略断面図、図９（ｃ）はシール手段の上方部分を拡大した概略断面図である。
【００２２】
図１に示すように、本実施の形態における天井扇本体１はリビングや寝室等の居室の天井２にとりつけられており、天井扇本体１の下部には市販の照明器具３がとりつけられている。
【００２３】
天井扇本体１は、図２に示すように、略円筒状の箱体４に空気を取り入れる吸込み口５と、高圧空気を発生するための羽根車６と羽根車６を駆動するためのモータ７で構成された高圧空気発生手段とが設けられた高圧空気発生部８と、高圧空気を気流として吹出す吹出し口９を有する気流吹出し部１０と、高圧空気発生部８と気流吹出し部１０を連通する連結ダクト１１とを備え、気流吹出し部１０を環形状とし、天井取付具によって天井に取り付けられる構成となっている。
【００２４】
次に連結ダクト１１を高圧空気発生部８に取付けるための取付部１２の構成について、図３〜６を参照しながら説明する。
【００２５】
図３に示すように、取付部１２は、高圧空気発生部８に設けられ連結ダクト１１を保持する保持部１３  と、高圧空気発生部８と連結ダクト１１との気密性を保つための後述する構成のシール手段１４からなり、矢符１５に示すように高圧空気発生部８に連結ダクト１１を上方から嵌め合わせて固定する構成となっている。
【００２６】
シール手段１４の構成は、図４（ａ）に示すように保持部１３に形成された、高圧空気発生部８から高圧空気を取り出すことができる開口部１６の先端部分に形成され、開口部１６から周方向に突出したリブ形状のフランジ部１７と、図４（ｂ）に示すように連結ダクト１１の高圧空気発生部８  に連結する側の開口部１８  の先端部分に形成され開口部１８  の内壁面に形成された溝部１９  からなり、高圧空気発生部８に連結ダクト１１を上方から嵌め合わせると前述のフランジ部１７と溝部１９とが合致して密着するように構成している。
【００２７】
また、フランジ部１７の高圧空気発生部８に対面する側の面は、図４（ｃ）に示すように、鉛直上方から下方に向けて広がるようにテーパ形状となっており、また、溝部１９の連結ダクト１１の先端側の面は、鉛直下方から上方にむけて狭まるようにテーパ形状となっている。そして、両者のテーパ形状は互いに合致するよう水平面に対して略同じ傾斜角度に形成されている。
【００２８】
また、保持部１３の先端部分には、図６に示すように、後述するフランジ部１７よりも気流吹出し部１０側の位置に、高圧空気発生部８から気流吹出し部１０側に向かう方向に対して左右の部分に、略鉛直上方に突出した二つの側壁２０を備え、また、その側壁２０は高圧空気発生部８から気流吹出し部１０に向かってその側壁２０どうしの距離が狭まる、すなわち、上方から見て矢符２１に示す長さａよりも矢符２２に示す長さｂが小さくなるよう形成されている。
【００２９】
以下、上記構成における作用について図７〜１０を参照しながら説明する。
【００３０】
本発明における天井扇は梱包性を向上させるために高圧空気発生部８と連結ダクト１１を別部品として構成しているものであるため、この取付機構によって両者を固定させている。天井扇本体１を天井に取付けると、図７に示すように気流吹出し部１０と連結ダクト１１には重力により矢符２３に示す下向きの力がかかる。矢符２３に示すこの力は連結ダクト１１を介して取付部１２に伝わり、高圧空気発生部８から連結ダクト１１を引き離す方向に荷重がかかる。
【００３１】
このとき、図８（ａ）に示したような従来の構成の展開では、高圧空気発生部８と連結ダクト１１を互いに押さえつける方向に密着させて気密性を保つ構成であったため、重力による荷重が連結ダクト１１にかかると、図８（ｂ）中の黒丸を支点として矢符に示す方向に力が加わるので、高圧空気発生部８と連結ダクト１１の上方部分が引き離されて隙間が生じ、この部分を拡大した図８（ｃ）に示すように高圧空気発生部８と連結ダクト１１の隙間から高圧空気が漏れ出してしまうため、気流吹出し部１０から吹出される空気が少なくなり天井扇の送風量が減少してしまうともに、隙間からの漏れ気流に伴う噴流音が発生してしまうものであった。
【００３２】
一方、本発明の構成によると、同様に重力による力が連結ダクト１１にかかった場合、フランジ部１７と溝部１９とは力の方向に対して同じ方向に力を加えて密着させる構成としたことにより、フランジ部１７と溝部１９が接触し押し付け合って密着するので、高圧空気発生部８と連結ダクト１１との間の気密性を保つことができるものである。
【００３３】
また、図９（ａ）に示すように、フランジ部１７に形成されたテーパ形状と溝部１９に形成されたテーパ形状を設けているので、荷重が連結ダクト１１に図９（ｂ）の黒丸を支点として矢符に示す方向に加わると、フランジ部１７のテーパ形状と溝部１９のテーパ形状とが互いに押し付けあって密着性が増すので、高圧空気発生部８と連結ダクト１１との間に隙間が生じず、高圧空気発生部８と連結ダクト１１との気密性を保つことができるものである。
【００３４】
また、天井扇の天井への据付時等に異常な荷重が気流吹出し部１０や連結ダクト１１にかかったとしても、図５に示すように連結ダクト１１と側壁２０の狭まった部分とが接触し荷重が側壁２０にもかかるようになるので荷重をシール手段１４と保持部１３の側壁２０とに分散でき（図中の矢符）、シール手段１４の破損を抑制することができるものである。
【００３５】
以上述べたようにして、気流吹出し部１０と連結ダクト１１の荷重と高圧空気発生部８による内圧がかかっても高圧空気発生部８と連結ダクト１１との間の気密性を保つことができるので、送風量の減少や噴流音の発生を抑制ことができるとともに高圧空気発生部８と連結ダクト１１を分割し客先組立可能にすることによって梱包性を向上した天井扇を提供することができるものである。
【産業上の利用可能性】
【００３６】
本発明にかかる天井扇は、気流吹出し部と連結ダクトの荷重と高圧空気発生部による内圧がかかっても高圧空気発生部と連結ダクトとの間の気密性を保つことができ、梱包性を向上したものであるので、住宅用の室内空気の撹拌を目的に使用される各種送風機器等として有用である。
【符号の説明】
【００３７】
１    天井扇本体
４    箱体
５    吸込み口
６    羽根車
７    モータ
８    高圧空気発生部
９    吹出し口
１０  気流吹出し部
１１  連結ダクト
１２  取付部
１３  保持部
１４  シール手段
１７  フランジ部
２０  側壁
【図１】
2012107596.tif 000003
【図２】
2012107596.tif 000004
【図３】
2012107596.tif 000005
【図４】
2012107596.tif 000006
【図５】
2012107596.tif 000007
【図６】
2012107596.tif 000008
【図７】
2012107596.tif 000009
【図８】
2012107596.tif 000010
【図９】
2012107596.tif 000011
【図１０】
2012107596.tif 000012